(57)【特許請求の範囲】
【請求項１】
遊技盤(5) に装着された振分ケース(23)に、その上部側の入球口(22)から入球した遊技球(B) を後方へと案内する第１スロープ(24)と、該第１スロープ(24)の後端から落下する前記遊技球(B) を前方へと案内し且つその前端側に配置された左右方向に複数個の振分孔(26)の何れかに振分ける第２スロープ(25)とを備えた弾球遊技機の振分装置において、前記第１スロープ(24)は左右両側よりも中央が低い正面視円弧状であり、該第１スロープ(24)の後端は、中央が後方に突出する平面視円弧状であることを特徴とする弾球遊技機の振分装置。
【請求項２】
前記第２スロープ(25)は左右両側よりも中央が低い正面視円弧状であることを特徴とする請求項１に記載の弾球遊技機の振分装置。
【請求項３】
前記第１スロープ(24)から落下する遊技球(B) を左右方向に振り分ける振分突起(57)を前記第２スロープ(25)の後端部に設けていることを特徴とする請求項１に記載の弾球遊技機の振分装置。
【発明の詳細な説明】
【０００１】
【産業上の利用分野】
本発明は、アレンジボール機、パチンコ機等の弾球遊技機の振分装置に関するものである。
【０００２】
【従来の技術】
従来、弾球遊技機の振分装置として、遊技盤に装着されかつ上部側に入球口を有する振分ケースと、その入球口から入球した遊技球を後方に案内する後下がりの第１スロープと、この第１スロープの後端から落下する遊技球を前方に案内する前下がりの第２スロープと、この第２スロープの前端部に配置された３個の振分孔とを備えたものがある。
【０００３】
各振分孔は中央が低くなるように底面を傾斜させた平面視円形状の回転凹部の中央部分に設けられ、第１スロープ及び第２スロープにより案内された遊技球は回転凹部の外周に沿って回転した後、螺旋状に回転しながら回転凹部の中央に移動し、何れかの振分孔に落下するようになっている。そして、遊技球が３個の振分孔の内、特定の振分孔に落下すると、他の入賞装置が作動して遊技者に利益状態が与えられるようになっている。
【０００４】
【発明が解決しようとする課題】
従来の振分装置では、第１スロープ及び第２スロープは、入球口に入球した遊技球を回転凹部まで単に案内するためのものであり、遊技球が入球口に入球してから回転凹部に案内されるまでの間、遊技者は待ち状態となり、興味を損なうという欠点がある。
【０００５】
また第１スロープ及び第２スロープを移動する遊技球は、各スロープに沿って転がるだけで、遊技球の移動方向に意外性が無く、遊技者にとって面白味に欠ける構成となっている。
本発明は、かかる従来の課題に鑑み、スロープを転がる遊技球の移動方向に変化を持たせ、遊技者の興味を引き面白味のあるゲームが行える弾球遊技機の振分装置を提供することを目的とする。
【０００６】
【課題を解決するための手段】
本発明は、遊技盤5 に装着された振分ケース23に、その上部側の入球口22から入球した遊技球B を後方へと案内する第１スロープ24と、該第１スロープ24の後端から落下する前記遊技球B を前方へと案内し且つその前端側に配置された左右方向に複数個の振分孔26の何れかに振分ける第２スロープ25とを備えた弾球遊技機の振分装置において、前記第１スロープ24は左右両側よりも中央が低い正面視円弧状であり、該第１スロープ24の後端は、中央が後方に突出する平面視円弧状にしたものである。
【０００９】
【作用】
第１スロープ24は左右両側よりも中央が低い正面視円弧状であり、該第１スロープ24の後端は、中央が後方に突出する平面視円弧状であるため、遊技球B は第１スロープ24上でトリッキーに蛇行し、また第２スロープ25上への落下位置も変化する。
【００１２】
【実施例】
以下、本発明の第１実施例を図面に基づいて詳述する。
図７はアレンジボール機の正面図である。図７において、1 は機枠、2 は機枠1 の前面に開閉自在に枢着された前枠である。前枠2 にはガラス扉3 及び前面板4 が装着され、その後側に遊技盤5 が着脱自在に装着されている。
【００１３】
遊技盤5 の前面には、発射された遊技球B を案内するガイドレール6 が設けられると共に、このガイドレール6 によって取り囲まれた中央部に上通過口7 、変動図柄表示装置8 、振分装置9 、上役物作動装置10、入賞装置11、得点増加用の下役物作動装置12、下通過口13,14 等が配置されている。また遊技盤5 の下部には入賞口装置15が配置され、この入賞口装置15は下部カバー16により前面側から覆われている。
【００１４】
前面板4 には上皿17が、また前枠2 の下部には下皿18と発射装置用の操作ハンドル19が夫々設けられている。発射装置は、操作ハンドル19を操作すれば、上皿17から１６個の遊技球B が発射レール上に１個ずつ供給され、それを打撃槌で打撃してガイドレール6 へと発射するようになっている。
【００１５】
入賞口装置15は、上部に横一列状に配置された１６個の入賞口20と、この各入賞口20に対応して横一列状に配置された１６個の表示部21とを有している。各表示部21は、入賞口20に遊技球B が入った時に、それに対応する表示部21が点灯して１〜１６までの数字を表示するようになっている。
【００１６】
振分装置9 は、図１乃至図６に示すように、遊技盤5 に装着されかつ上部側に入球口22を有する振分ケース23と、その入球口22から入球した遊技球B を後方に案内する後下がりの第１スロープ24と、この第１スロープ24の後端から落下する遊技球B を前方に案内する前下がりの第２スロープ25と、この第２スロープ25の前端部に左右方向に配置された３個の振分孔26と、各振分孔26から落下した遊技球B を遊技盤5 の後側に夫々案内する３つの案内通路27とを備えている。
【００１７】
振分ケース23は、前後が開口した円筒状のベース本体28と、このベース本体28の前後に夫々取り付けられた前カバー29と後カバー30とを有している。ベース本体28の前端側外周にはフランジ状の取付部31が設けられ、ベース本体28を遊技盤5 の取付孔5aに挿入した状態で、この取付部31を介して振分ケース23がネジ32により遊技盤5 に装着されている。
【００１８】
前カバー29は前面に窓孔33を有すると共に、上部に上方が開放した幅広の入球口22を有し、この入球口22の下部後方に突出する第１スロープ24をベース本体28内に挿入した状態でベース本体28の取付部31にネジ34により固定されている。
第１スロープ24は、左右方向に幅が広くかつ中央が低い正面視円弧状であって、後方側が若干低くなるように傾斜し、その後端は中央が後方に突出するように平面視円弧状に形成され、この後端と後カバー30との間から遊技球B が第２スロープ25上に落下するようになっている。
【００１９】
入球口22の中央上部には、横軸35回りに回動自在な回転体36が設けられている。この回転体36はベース本体28の取付部31に支持された横軸35に枢支され、上方から落下してくる遊技球B を入球口22内の左右の何か一方に振り分けるようになっている。
後カバー30は円板状で、ベース本体28の後部を閉塞するようにネジ37によりベース本体28に固定され、その前面には前方に向かって突出する第２スロープ25と２枚の区画板38とが一体に形成されている。
【００２０】
第２スロープ25は、図３乃至図５に示すように、左右の両端がベース本体28の内壁に近接するように左右方向に幅が広く、かつ中央が低い正面視円弧状であって、前方側が若干低くなるように、後カバー30の前端から前カバー29の前端に亘って振分ケース23内に設けられている。
【００２１】
第２スロープ25の前端部は、前カバー29の窓孔33の左右両側部で支持されるように窓孔33内に挿入される共に、上部に上方に突出する円弧状の前壁39が設けられ、第２スロープ25を転がってきた遊技球B が前側に脱落することなく、前壁39の内側に設けられた３個の振分孔26に落下するようになっている。
【００２２】
また前カバー29の下部には、図６に示すように、各振分孔26の下部に対応して、各振分孔26から落下した遊技球B を後方に案内する案内シュート40と、各振分孔26の間に位置して遊技球B が左右方向へ移動するのを阻止する２枚の阻止板41とが設けられている。
【００２３】
振分ケース23の下部は、後カバー30の区画板38と前カバー29の阻止板41とにより３つの案内通路27に区画され、各案内通路27はベース本体28の後端下部に設けられた３個の球落下口42に連通している。各案内通路27の底部には、後下がりのガイドリブ43が夫々設けられ、遊技球B を各球落下口42にスムーズに案内するようになっている。
【００２４】
中央の球落下口42の下方には球検出スイッチ (図示省略) が設けられ、この球検出スイッチが遊技球B を検出すると、変動図柄表示装置8 が作動するようになっている。
次に、上記構成のアレンジボール機における動作を説明する。
ゲームの開始に際しては、上皿17に遊技球B を入れておき、発射用の発射ハンドル19を廻すと、発射装置が作動し、上皿17から発射レール上に１個ずつ供給される遊技球B を打撃槌で打撃して、遊技球B をガイドレール6 に沿って遊技盤5 の上部に発射する。なお、１ゲームに使用する遊技球B は１６個である。
【００２５】
遊技盤5 上に発射された遊技球B は、入球口22等に入球するか、又は入賞口装置15に配置された１６個の入賞口20の何れかに入球する。入賞口20に遊技球B が入球すれば、その遊技球B が入球した入賞口20に対応する表示部21が数字図柄を表示する。
【００２６】
上方から落下する遊技球B が振分ケース23の回転体36に当たって、又は直接入球口22に入球すると、この遊技球B は、図１及び図３に示すように、第１スロープ24上に移動した後、後方へ転がって行く。遊技球B が入球口22に入球する際、入球口22の中央上部には回転体36が設けられているので、遊技球B は必ず入球口22の左右の何れか一方から入球する。
【００２７】
そして、入球口22に入球した遊技球B が、第１スロープ24上に移動すると、この遊技球B は第１スロープ24上をトリッキーに蛇行しながら後方へ転がって行く。このとき、入球口22から第１スロープ24上に移動するときの遊技球B のスピード、移動方向等によって、蛇行の振幅や周期が各遊技球B 毎に異なる。
【００２８】
また第１スロープ24の後端は中央が後方に突出するように平面視円弧状に形成されているので、第１スロープ24の後端を直線状とした場合に比べ、第１スロープ24から第２スロープ25に落下する遊技球B の位置を左右方向に大きく振り分けることができる。これにより第２スロープ25上での遊技球B の蛇行の振幅を大きくすることができ、遊技者の興味をより一層引くことができる。
このとき、遊技者は入球口22の上部から、または前カバー29を透明若しくは半透明の透視可能な材料により成形した場合にはその前カバー29を通して、第１スロープ24上の遊技球B を目視することができる。
【００２９】
第１スロープ24の後端から落下する遊技球B は、第１スロープ24上で有していた左右方向への移動力を保持したまま第２スロープ25上に落下するので、第２スロープ25上でも、第１スロープ24のときと同様に、第２スロープ25上をトリッキーに蛇行しながら前方に転がって行く。これにより、遊技者は面白味のあるゲームを行うことができる。
【００３０】
そして、遊技球B が第２スロープ25の前端部までくると、３個ある振分孔26の内の何れかに落下する。遊技球B は蛇行しながら転がってくるので、３個ある振分孔26の内、どの振分孔26に落下するかという偶然性を伴わせることができ、これにより遊技者の期待感の向上を図ることができる。
またこの時、前カバー29には窓孔33が設けられているので、遊技者は、第２スロープ25を移動する遊技球B を、その窓孔33を介して前方から目視により確認することができる。
【００３１】
振分孔26から下方に落下した遊技球B は、各振分孔26に対応する案内通路27を通って後部の球落下口42から遊技盤5 の裏側に排出される。このとき、中央の球落下口42から遊技球B が排出されると、その下方に配置された検出スイッチ (図示省略) が遊技球B を検出し、変動図柄表示装置8 が作動してその３個の図柄表示部21の図柄が一定時間だけ夫々変動する。
【００３２】
変動図柄表示装置8 の各図柄表示部21の変動後の停止図柄が所定の当たり図柄であれば、上役物作動装置10が一定時間開閉する。この上役物作動装置10の開閉時にその特定の通路を遊技球B が通過すると、下通過口13,14 が有効となり、このとき下通過口13,14 を遊技球B が通過すれば、下役物作動装置12が一定時間開閉する等の利益状態が発生する。
【００３３】
図８乃至図１３は本発明の第２実施例である振分装置45を示す。
この振分装置45は、上部側に入球口22を有する振分ケース23と、その上部側の入球口22から入球した遊技球B を後方に案内する後下がりの第１スロープ24と、この第１スロープ24の後端から落下する遊技球B を前方に案内する前下がりの第２スロープ25と、この第２スロープ25の前端部に左右方向に配置された２個の振分孔26とを備えている。
【００３４】
振分ケース23は、前後が開口した筒状のベース本体28と、ベース本体28内に装着された傾斜板46と、ベース本体28の前後に夫々取り付けられた前カバー29と後カバー30とを有している。
前カバー29は前面に窓孔33を有すると共に、上部に上方から落下する遊技球B を受けて後方に案内する球受部47を有し、下部に傾斜板46の各振分孔26から落下した遊技球B を下方に排出する２個の排出口48を有している。
【００３５】
球受部47の上面は、中央が低い正面視円弧上に形成され、その中央部に平面視Ｖ字状のガイド凹部49が後側が下方に傾斜するように形成されている。
ベース本体28は前端部の外周にフランジ状の取付部31を有し、取付部31を介してネジ50により遊技盤5 に装着されている。取付部31の上部には入球口22が設けられ、この入球口22の裏側に第１スロープ24が形成されている。
【００３６】
第１スロープ24はベース本体28の上面に後側が下方に傾斜するように設けられ、その両側に前後方向に沿う２本の側板51を備えて、遊技球B の両側への脱落防止を図っている。
後カバー30は、前側が開放した有底筒状であって、上部に第１スロープ24の後端に対応する開口部52と検出スイッチ53を装着するための切り欠き部54とを有し、この切り欠き部53には、開口部52の下部に検出スイッチ53の検出孔53a が位置するように検出スイッチ53が前側から装着されている。
【００３７】
開口部52の上部にはコ字状のガイドリブ55が設けられ、第１スロープ24を転がってきた遊技球B をこの開口部52を介して振分ケース23内に案内するようになっている。
ベース本体28の下部には、左右の両側に前後方向に延びるガイド溝56が設けられ、このガイド溝56に傾斜板46の左右両側が後方から挿入され、傾斜板46の後部を後カバー30で覆うように、後カバー30がベース本体28にネジ57により固定されている。
【００３８】
傾斜板46の上面には第２スロープ25が設けられている。この第２スロープ25は左右方向に幅が広くかつ中央が低い正面視円弧状であって、前方側が若干低くなるように傾斜している。
第２スロープ25の後端部には振分突起57が、また前端部には左右に２個の振分孔26が夫々設けられている。振分突起57は第１スロープ24から落下した遊技球B を左右に振り分けるためのものであり、中央が高い正面視円弧状であって、前後方向は水平状とされている。
【００３９】
次に、第２実施例における振分装置45の動作を説明する。
上方から落下する遊技球B が前カバー29の球受部47上面で受け止められると、この遊技球B は、図８及び図１１に示すように、入球口22側に移動した後、第１スロープ24上を後方へ転がって行き、第１スロープ24の後端から検出スイッチ53の検出孔53a を通って振分ケース23内の振分突起57上に落下する。
【００４０】
このとき、検出スイッチ53により遊技球B が検出されると、例えば上役物作動装置10が開閉して利益状態が生じるようになっている。
検出スイッチ53の検出孔54から振分突起57上に遊技球B が落下すると、この遊技球B は振分突起57により左右の何れか一方に振り分けられ、遊技球B に左右方向の付勢力が付与される。これにより第２スロープ25を蛇行する遊技球B の振幅を大きくすることができ、遊技者の興味をより一層引くことができる。
【００４１】
その後、遊技球B は第２スロープ25の傾斜に従って第２スロープ25上を蛇行しながら前方へ転がって行く。この時、前カバー29には窓孔33が設けられているので、遊技者は、第２スロープ25を移動する遊技球B を、その窓孔33を介して前方から目視により確認することができる。
【００４２】
遊技球B が第２スロープ25上を前端部まで転がると、２個ある振分孔26の内の何れかに落下する。遊技球B が第２スロープ25上を転がる際、振分突起57による左右方向の付勢力やその方向によって、蛇行の振幅や周期が各遊技球B 毎で異なる。これにより、何れの振分孔26に落下するかという偶然性を伴わせることができ、面白味のあるゲームを提供することができる。
【００４３】
振分孔26の何れか一方の下方には、検出スイッチ（図示省略）が備えられ、その検出スイッチが遊技球B を検出すると図柄表示装置等が作動して、第１実施例で示したような利益状態が発生するようになっている。
なお、本実施例では、第２スロープ25をベース本体28に着脱自在に設けているので、円弧の曲率半径や傾斜角度の異なる第２スロープ25を用意しておくことにより、第２スロープ25上を転がる遊技球B の蛇行の振幅や周期を極めて容易に調整することかできる。
【００４４】
本発明は、上記実施例に限定されるものではない。例えば、振分装置9,45は、アレンジボール機の他、パチンコ機等にも利用することができる。また第２スロープ25の上面に、遊技球B が左右方向に分散するように多数の小突起を設けてもよい。
【００４５】
【発明の効果】
本発明によれば、遊技盤5 に装着された振分ケース23に、その上部側の入球口22から入球した遊技球B を後方へと案内する第１スロープ24と、該第１スロープ24の後端から落下する遊技球B を前方へと案内し且つその前端側に配置された左右方向に複数個の振分孔26の何れかに振分ける第２スロープ25とを備えた弾球遊技機の振分装置において、第１スロープ24は左右両側よりも中央が低い正面視円弧状であり、該第１スロープ24の後端は、中央が後方に突出する平面視円弧状にしているので、遊技球B をトリッキーに蛇行させることができ、遊技者に興味を与え面白味のあるゲームを提供することができる。
【図面の簡単な説明】
【図１】本発明の第１実施例を示す振分装置の一部を省略した斜視図である。
【図２】本発明の第１実施例を示す振分装置の正面図である。
【図３】本発明の第１実施例を示す振分装置の縦断面図である。
【図４】図３のＡ−Ａ線矢視断面図である。
【図５】図２のＢ−Ｂ線矢視断面図である。
【図６】図２のＣ−Ｃ線矢視断面図である。
【図７】本発明の第１実施例を示すアレンジボール機の正面図である。
【図８】本発明の第２実施例を示す振分装置の一部を省略した斜視図である。
【図９】本発明の第２実施例を示す振分装置の正面図である。
【図１０】本発明の第２実施例を示す振分装置の平面図である。
【図１１】本発明の第２実施例を示す振分装置の縦断面図である。
【図１２】図１１のＤ−Ｄ線矢視断面図である。
【図１３】本発明の第２実施例を示す振分装置の平断面図である。
【符号の説明】
5  遊技盤
22  入球口
23  振分ケース
24  第１スロープ
25  第２スロープ
26  振分孔
【図１】
0003810815.tif 000002
【図５】
0003810815.tif 000003
【図２】
0003810815.tif 000004
【図６】
0003810815.tif 000005
【図３】
0003810815.tif 000006
【図４】
0003810815.tif 000007
【図７】
0003810815.tif 000008
【図８】
0003810815.tif 000009
【図９】
0003810815.tif 000010
【図１０】
0003810815.tif 000011
【図１１】
0003810815.tif 000012
【図１２】
0003810815.tif 000013
【図１３】
0003810815.tif 000014